(57)【要約】      （修正有）【課題】自力で希望する場所に移動出来る介護用歩行器に座接した被介護人が他人の介護人の力を借りて安全に、かつ円滑に目的の場所に移動出来るようにした介護用歩行器における足載せ台と把持具を提供する。【解決手段】介護用歩行器１００の前側のベースフレームには平板１と係着板を有する足載せ台２００を取り付けると共に第１の把持具１９のあるスイングフレームの第１の把持具１９の近傍に第２の把持具３００が取り付けられている。この構造により被介護人１７は介護用歩行器１００に安定的に座接出来、介護人１８が第１の把持具１９を把持して介護用歩行器１００を目的の場所に安全に、かつ円滑に移動出来る。【選択図】図８
0003204388.tif 000002
【実用新案登録請求の範囲】
【請求項１】
キャスタを有しクロスフレームによって下方側を連結されている左右のベースフレームと、該ベースフレームから回動可能に立上り下方をベース板により連結されているスイングフレームと、該スイングフレームの高さを調整する高さ調整手段と、前記スイングフレームの頂部に設けられている第１の把持具と、前記スイングフレームに回動可能に、かつ取外し可能に片持ち連結され使用者である被介護人が座接する座面シートとを有する介護用歩行器に設けられている足載せ台及び第２の把持具であって、前記足載せ台は被介護人の足が載せられる面積を有し前記ベースフレームの前端側に取外し可能に保持され水平方向に展開する板材からなり、前記第２の把持具は前記第１の把持具の近傍に配置され前記被介護人が座接姿勢で把持する形状のものからなる事を特徴とする介護用歩行器における足載せ台と把持具。
【考案の詳細な説明】
【技術分野】
【０００１】  本考案は、自力で自分の希望する場所に移動出来る介護用歩行器に設けられる足載せ台やこれに伴う把持具に関するものであり、自力でなく介護人の助力によってより円滑に移動出来る介護用歩行器における足載せ台と把持具に関する。
【背景技術】
【０００２】  後に詳しく説明するが本出願人は被介護人が自力で移動出来る介護用歩行器を開発したものであるが、被介護人がより円滑に希望する場所に移動出来るようにするため介護用歩行器に付設された足載せ台や把持具に関するものであるが、簡便で安価に適用出来るものである。  従来技術として足載せ台や把持具は各種のものがあるが、本考案のように介護用歩行器に簡便に適用出来るものは見当らない。
一方、足載せ台としては各種の公知技術があるがその具体例として「特許文献１」や「特許文献２」があるが本考案のものとは相違するものである。また、本考案の如き公知技術は見当らない。また、把持具としても各種のものが有り、例えば「特許文献３」の如きものがあるが本考案のような目的や構造のものは見当らない。
【先行技術文献】
【特許文献】
【０００３】
【特許文献１】実用新案登録第３１０５２５１号（図１）
【特許文献２】実用新案登録第３１５４３１１号（図１）
【特許文献３】実用新案登録第２５２６９８９号（図１）  この［特許文献１］の実用新案登録「第３１０５２５１号」の「足載せ台を備えた椅子」はキャスタを有する足載せ台を特徴とするものであり、足載せ台が希望に応じて前後に円滑に移動出来るものであり、このもの自体としては有用のものであるが本考案の介護用歩行器には適用不向きである。また、「特許文献２」の「実用新案登録第３１５４３１１号」の「足載せ台」は平坦状のベース本体の一部に足裏の土踏まずの部分を刺激する隆起部を有するものであるが本考案の介護用歩行器を使用する被介護人としてはこの機能を必要とする度合は少なく、本考案の足載せ台には不適用のものと思われる。また「特許文献３」の「実用新案登録第２５２６９８９号」の「把持具」はケースを持ち上げる場合に有効のものであり、本考案のように単に姿勢の安全を保持する簡便のものとは相違する。
【考案の概要】
【考案が解決しようとする課題】
【０００４】  本考案の適用される介護用歩行器は被介護人がベットでの座接状態から自力で自分の希望する場所に移動出来る簡便構造のものであるが被介護人によっては他人の力を必要とする場合もある。このような要請に対して介護用歩行器をより便利に使用してもらうために本考案は創作したものであり被介護人が他人の力を借りて所望の場所にこの介護用歩行器を利用して安全に移動出来るようにした介護用歩行器における足載せ台と把持具を開発することを目的としたものである。
【課題を解決するための手段】
【０００５】  本考案は、以上の目的を達成するために請求項１の考案は、キャスタを有しクロスフレームによって下方側を連結されている左右のベースフレームと、該ベースフレームから回動可能に立上り下方をベース板により連結されているスイングフレームと、該スイングフレームの高さを調整する高さ調整手段と、前記スイングフレームの頂部に設けられている第１の把持具と、前記スイングフレームに回動可能に、かつ取外し可能に片持ち連結され使用者である被介護人が座接する座面シートとを有する介護用歩行器に設けられている足載せ台及び第２の把持具であって、前記足載せ台は被介護人の足が載せられる面積を有し前記ベースフレームの前端側に取外し可能に保持され水平方向に展開する板材からなり、前記第２の把持具は前記第１の把持具の近傍に配置され前記被介護人が座接姿勢で把持する形状のものからなる事を特徴とする。
【考案の効果】
【０００６】  本考案の請求項１の介護用歩行器における足載せ台と把持具によれば、介護用歩行器に乗り移った被介護人は介護用歩行器に着脱可能に取付けられた足載せ台に足を載せ第２の把持具に捕まることにより介護用歩行器上に安全に座接することが出来る。この状態で介護人が第１の把持具を把持しながら介護用歩行器も所望の場所に安全に移動させる事が出来る。勿論被介護人がこの足載せ台や第２の把持具を不要とする場合は簡単に取外しする事が出来る。
【図面の簡単な説明】
【０００７】
【図１】本考案の足載せ台や第２の把持具を設けた介護用歩行器の全体構造を示す斜視図。
【図２】本考案の足載せ台の平面図（ａ）と（ａ）のＡ矢視の正面図（ｂ）。
【図３】介護用歩行器に取付けられた足載せ台の部分を明示するための写真。
【図４】本考案の足載せ台の介護用歩行器への取付け位置を明示するための写真。
【図５】被介護人の足載せ台への利用状態を示す写真ではあるがこの写真では被介護人は第１の把持具に把持した状態が示されている。
【図６】本考案の第２の把持具の平面図（ａ）とこのＢ−Ｂ線の一部断面図（ｂ）。
【図７】第２の把持具の取付け状態や位置を示す写真。
【図８】本考案の足載せ台や第２の把持具を利用して介護用歩行器に座接した被介護人を介護人が移動させる状態を示す模式的側面図。
【考案を実施するための形態】
【０００８】  以下、本考案の介護用歩行器における足載せ台と把持具を図面や写真を用いて詳細に説明する。
【実施例】
【０００９】  まず、本考案の足載せ台や第２の把持具の適用される介護用歩行器１００の構造を図１等を用いて説明する。
キャスタ８を有しクロスフレーム９によって下方側を連結される左右のベースフレーム１０，１０と下方にベース板１１に設けベースフレーム１０から立上り下方側を枢支される左右のスイングフレーム１２，１２と、このスイングフレーム１２の高さを調整する高さ調整手段１３と、スイングフレーム１２に着脱可能に片持ち支持され被介護人の座接する座接用クッション板１４及びこれを片持ち支持しスイングフレームに片持ち支持される座接用サイドフレーム１５等とからなる座面シート１６等とから介護用歩行器１００は形成されている。なお、スイングフレーム１２の上端には座面シート１６に座接した被介護入１７（図８に示す）が座面シート１６に座接した場合に把持する第２の把持具３００が設けられている。以上の構造は図１の他、図４，図５，図７，図８等にも示されている。
足載せ台２００及び第２の把持具３００は以上の構造の介護用歩行器１００に着脱可能に取付けられているものであり、以下にその構造や取付け位置や方法について説明する。【００１０】  足載せ台２００は図２に示すように両足を載せられる面積の板材の平板１（載置される足の重みに耐えられる板材）とこの両横に基端側を固定して外方に向かって伸延し、係着可能に折り曲げられている係着板２等とからなり、平板１の前端の両横にはクッション材３が設けられている。この平板１の厚みやクッション材３の材質等については特に限定するものではなく、樹脂製の板材でもよいしややクッション性のある板材でもよく限定するものではない。【００１１】  この足載せ台２００は図１，図３，図４，図５，図８等に示すようにベースフレーム１０の前側に平板をほぼ水平の状態にして取付けられている。この取付けは係着板の先端部をベースフレーム１０に係着した状態で取付けられている。従って、取外しは簡単に出来ると共に載置される足の重みに十分に耐える事が出来る。図５や図８はこの足載せ台２００に被介護人１７の足が搭載されている状態を示すものである。【００１２】  一方、第２の把持具３００は図６に示す形状のものからなるが特にこの形状に限定するものではない。
第２の把持具３００は手の指の挿入出来る隙間５を有し、手で把持可能の大きさの細長の把持体４を有するものからなりその一端には取付け用の突出部６が形成され突出部６には取付け孔７が貫通形成されている。【００１３】  図７は以上の形状の第２の把持具３００の取付け位置や取付け方法を示すものである。この第２の把持具３００は図示のように第１の把持具１９の近傍において取付け孔７を用いて突出部６をスイングフレーム１２の上端近傍に取付けた状態で固持される。この位置に第２の把持具３００を設ける事により介護用歩行器１００に座接した被介護人１７（図８）が第１の把持具１９を把持することなく安全に座接状態を保持すべく把持する事が出来る。【００１４】  介護用歩行器１００は自力で自分の希望する場所に移動出来る構造からなるが被介護人の身体の状態では他力を必要とする場合もある。このような被介護人に対しては図８に示すように介護人１８が必要になる。即ち、介護用歩行器１００に座接した被介護人１７は足を足載せ台２００に載せ両手で第２の把持具３００を把持した状態で介護用歩行器１００に座接する。介護人１８は図示のように第１の把持具１９を把持し、被介護人１７の座接している介護用歩行器１００を移動させて目的の場所に行く事が容易に出来る。
勿論足載せ台２００や第２の把持具３００が不要の場合は、簡単に取外しする事が出来る。【００１５】  本考案は以上の内容のものからなるが、本考案はこの内容に限定するものではなく、同一技術的範疇のものが適用されることは勿論である。
【産業上の利用可能性】
【００１６】  本考案の介護用歩行器における足載せ台と把持具は介護用歩行器の各種のものにも適用可能であり、その利用範囲は広い。
【符号の説明】
【００１７】  １      平板
２      係着板
３      クッション材
４      把持体
５      隙間
６      突出部
７      取付け孔
８      キャスタ
９      クロスフレーム
１０    ベースフレーム
１１    ベース板
１２    スイングフレーム
１３    高さ調整手段
１４    座接用クッション板
１５    座接用サイドフレーム
１６    座面シート
１７    被介護人
１８    介護人
１９    第１の把持具
１００  介護用歩行器
２００  足載せ台
３００  第２の把持具
【図１】
0003204388.tif 000003
【図２】
0003204388.tif 000004
【図３】
0003204388.tif 000005
【図４】
0003204388.tif 000006
【図５】
0003204388.tif 000007
【図６】
0003204388.tif 000008
【図７】
0003204388.tif 000009
【図８】
0003204388.tif 000010